(57)【特許請求の範囲】
【請求項１】
第１の画像を表示する第１表示部と、
画像情報と対応付けられたファイルアイコンと、前記第１表示部への前記画像の表示前の状態において前記ファイルアイコンとは異なる領域に表示されるフォルダアイコンとを含む第２の画像を表示する第２表示部と、
前記ファイルアイコン及び前記フォルダアイコンの少なくとも一方の第２の表示部内の表示位置を操作することができる操作部と、
前記第１表示部および前記第２表示部を制御する制御部と、を有し、
前記制御部は、
前記操作部に前記ファイルアイコンを前記フォルダアイコン上に移動する操作が入力され、
前記ファイルアイコンのファイル種別に対応したアプリケーション機能が複数あると判定したら、前記フォルダアイコンの周囲に前記複数のアプリケーション機能に対応したアプリケーションアイコンを表示させ、
前記複数のアプリケーションアイコンのうち、一のアプリケーションアイコンを選択する操作を検出したら、
当該一のアプリケーション機能を立ち上げ、立ち上げた前記アプリケーション機能により、前記ファイルアイコンに対応付けられた前記画像情報から画像を生成し、前記第１表示部に、生成した前記画像を表示させることを特徴とする表示システム。
【請求項２】
前記選択する操作は、前記複数のアプリケーションアイコンのうち、前記一のアプリケーションアイコンを前記フォルダアイコン上に移動させる操作であることを特徴とする請求項１に記載の表示システム。
【請求項３】
第１の画像を表示する第１表示部と、
画像情報と対応付けられたファイルアイコンと、前記第１表示部への前記画像の表示前の状態において前記ファイルアイコンとは異なる領域に表示されるフォルダアイコンとを含む第２の画像を表示する第２表示部と、
前記ファイルアイコン及び前記フォルダアイコンの少なくとも一方の第２の表示部内の表示位置を操作することができる操作部と、
前記第１表示部および前記第２表示部を制御する制御部と、を有し、
前記制御部は、
前記操作部に前記ファイルアイコンを前記フォルダアイコン上に移動する操作が入力されたら、前記第１表示部に、前記ファイルアイコンに対応付けられた画像情報の画像を表示させ、
前記第１表示部に前記画像を表示させるときに、前記第２表示部の一部に、前記第１表示部に表示している画像と同じ画像を表示させ、
前記第１表示部に表示している画像と同じ画像を、前記第２表示部の前記フォルダアイコンが表示されている領域とは、別の領域に表示させることを特徴とする表示システム。
【請求項４】
第１の画像を表示する第１表示部と、
画像情報と対応付けられたファイルアイコンと、前記第１表示部への前記画像の表示前の状態において前記ファイルアイコンとは異なる領域に表示されるフォルダアイコンとを含む第２の画像を表示する第２表示部と、
前記ファイルアイコン及び前記フォルダアイコンの少なくとも一方の第２の表示部内の表示位置を操作することができる操作部と、
前記第１表示部および前記第２表示部を制御する制御部と、を有し、
前記制御部は、
前記操作部に前記ファイルアイコンを前記フォルダアイコン上に移動する操作が入力されたら、前記第１表示部に、前記ファイルアイコンに対応付けられた画像情報の画像を表示させ、
前記操作部により、複数の前記ファイルアイコンに対応付けられた画像を前記第１表示部に表示する指示が入力されたら、複数の前記ファイルアイコンに対応付けられた画像をサムネイル画像で前記第１表示部に表示させることを特徴とする表示システム。
【請求項５】
前記制御部は、前記第１表示部に表示している画像と同じ画像を、前記第２表示部の前記フォルダアイコンが表示されている領域の内部に表示させることを特徴とする請求項３または４に記載の表示システム。
【請求項６】
さらに、情報を記憶する記憶部を有した外部記録装置を備え、
前記制御部は、前記画像情報が前記外部記録装置に記録されているときには、前記外部記録装置の前記記憶部から、前記画像情報を取得して、前記第１表示部に画像を表示させ、かつ、前記画像情報を前記記憶部に保存することを特徴とする請求項１から５のいずれか１項に記載の表示システム。
【請求項７】
前記第１表示部を有する第１の表示機器と、
前記第２表示部、前記制御部及び前記操作部を有する第２の表示機器とで構成され、
前記第１の表示機器は、第２の表示機器に対して着脱可能であることを特徴とする請求項１から６のいずれか１項に記載の表示システム。
【請求項８】
前記第１表示部は、画像を投影することにより画像を表示することを特徴とする請求項１から７のいずれか１項に記載の表示システム。
【発明の詳細な説明】
【技術分野】
【０００１】
本発明は、複数の表示部に画像を表示させることができる表示システムに関する。
【背景技術】
【０００２】
従来から、パーソナルコンピュータ（ＰＣ）や携帯電話機等の画像を表示させる表示システムには、自身の液晶表示部に画像を表示させつつ、外部出力端子を介して、プロジェクタや他の表示システムにも画像を表示させる機能がある。また、電子機器としては、２つの表示部を備え、２つの表示部に画像を表示できる装置もある。
【０００３】
また、近年では、液晶表示部と、プロジェクタ部の２つの表示部を有し、小型で持ち運びが容易な携帯型のプロジェクタも提案されている。例えば、特許文献１には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。この携帯端末には、上キャビネットに液晶表示器が設けられている。
【先行技術文献】
【特許文献】
【０００４】
【特許文献１】特開２００７−９６５４２号公報
【発明の概要】
【発明が解決しようとする課題】
【０００５】
ここで、２つの表示部を備える構成では、操作者が一方の表示部の画面を見ながら操作し、視聴者は、他方の表示部の画面を観賞するという使い方をすることがある。２つの表示部をこのような方法で使う場合は、２つの表示部に同じ画像を表示させる方法と、２つの表示部に異なる画像を表示させる方法とがある。
【０００６】
まず、２つの表示部に同じ画像を表示させると、操作者は、一方の表示部の画面を見ながら操作することで、他方の表示部の画面に表示されている画面を確認することができる。しかしながら、この方法では、両方の表示部に同じ画像が表示されるため、操作者が画面を操作している画面状態が視聴者に見られてしまうことになる。例えば、次に表示するファイルを探している検索画面や、画面上に表示されている秘密書類等も見られてしまう。
【０００７】
次に、２つの表示部にそれぞれ異なる画像を表示させる場合は、それぞれの表示部に表示させる画像を制御する必要がある。この際、操作者は、２つの表示部の画面のうち、操作を入力する一方の表示部の画像は見ることができるが、他方の表示部は見ることができない状況では、他方の表示部に表示されている内容を確認することができない。そのため、２つの表示部に表示させる画像の操作を行いにくいという問題がある。
【０００８】
本発明は、上記に鑑みてなされたものであって、２つの表示部に異なる画像を表示させる場合であっても操作者が画像の操作を行いやすい表示システムを提供することを目的とする。
【課題を解決するための手段】
【０００９】
本発明は、表示システムであって、第１の画像を表示する第１表示部と、画像情報と対応付けられたファイルアイコンと、前記第１表示部への前記画像の表示前の状態において前記ファイルアイコンとは異なる領域に表示されるフォルダアイコンとを含む第２の画像を表示する第２表示部と、前記ファイルアイコン及び前記フォルダアイコンの少なくとも一方の第２の表示部内の表示位置を操作することができる操作部と、前記第１表示部および前記第２表示部を制御する制御部と、を有し、前記制御部は、前記操作部に前記ファイルアイコンを前記フォルダアイコン上に移動する操作が入力されたら、前記第１表示部に、前記ファイルアイコンに対応付けられた画像情報の画像を表示させることを特徴とする。
【００１０】
ここで、前記制御部は、前記ファイルアイコンのファイル種別に対応したアプリケーション機能を立ち上げ、立ち上げた前記アプリケーション機能により、前記ファイルアイコンに対応付けられた前記画像情報から画像生成することが好ましい。
【００１１】
また、前記制御部は、前記ファイルアイコンのファイル種別に対応したアプリケーション機能が複数あると判定したら、前記フォルダアイコンの周囲に前記複数のアプリケーション機能に対応したアプリケーションアイコンを表示させ、前記複数のアプリケーションアイコンのうち、一のアプリケーションアイコンを選択する操作を検出したら、当該一のアプリケーション機能を立ち上げ、立ち上げた前記アプリケーション機能により、前記ファイルアイコンに対応付けられた前記画像情報から画像生成することが好ましい。
【００１２】
また、前記選択する操作は、前記複数のアプリケーションアイコンのうち、前記一のアプリケーションアイコンを前記フォルダアイコン上に移動させる操作であることが好ましい。
【００１３】
また、前記制御部は、前記第１表示部に前記画像を表示させるときに、前記第２表示部の一部に、前記第１表示部に表示している画像と同じ画像を表示させることが好ましい。
【００１４】
また、前記制御部は、前記第１表示部に表示している画像と同じ画像を、前記第２表示部の前記フォルダアイコンが表示されている領域の内部に表示させることが好ましい。
【００１５】
また、前記制御部は、前記第１表示部に表示している画像と同じ画像を、前記第２表示部の前記フォルダアイコンが表示されている領域とは、別の領域に表示させることが好ましい。
【００１６】
また、前記制御部は、前記操作部により、複数の前記ファイルアイコンに対応付けられた画像を前記第１表示部に表示する指示が入力されたら、複数の前記ファイルアイコンに対応付けられた画像をサムネイル画像で前記第１表示部に表示させることが好ましい。
【００１７】
さらに、情報を記憶する記憶部を有した外部記憶装置を備え、前記制御部は、前記画像情報が前記外部記録装置に記録されているときには、前記外部記録装置の前記記憶部から、前記画像情報を取得して、前記第１表示部に画像を表示させ、かつ、前記画像情報を前記記憶部に保存することが好ましい。
【００１８】
また、前記第１表示部を有する第１の表示機器と、前記第２表示部、前記制御部及び前記操作部を有する第２の表示機器とで構成され、前記第１の表示機器は、第２の表示機器に対して着脱可能であることが好ましい。
【００１９】
また、前記第１表示部は、画像を投影することにより画像を表示することが好ましい。
【発明の効果】
【００２０】
本発明にかかる表示システムは、表示部に表示されているファイルを移動させるのみで、他方の表示部に画像を表示させることができる。これにより、操作者は簡単な操作で表示画像を操作することができ、操作性を高くすることができるという効果を奏する。
【図面の簡単な説明】
【００２１】
【図１−１】図１−１は、表示システムの一実施形態の概略構成を示す模式図である。
【図１−２】図１−２は、図１−１に示す表示システムの概略構成を示すブロック図である。
【図２−１】図２−１は、表示システムに表示させる画像を説明するための説明図である。
【図２−２】図２−２は、表示システムに表示させる画像を説明するための説明図である。
【図２−３】図２−３は、表示システムに表示させる画像を説明するための説明図である。
【図２−４】図２−４は、表示システムに表示させる画像を説明するための説明図である。
【図２−５】図２−５は、表示システムに表示させる画像を説明するための説明図である。
【図２−６】図２−６は、表示システムに表示させる画像を説明するための説明図である。
【図３】図３は、表示システムの動作の一例を示すフロー図である。
【図４】図４は、表示システムの動作の一例を示すフロー図である。
【図５】図５は、表示システムの動作の一例を示すフロー図である。
【図６】図６は、表示システムの表示部に表示させる画像の他の例を説明するための説明図である。
【図７】図７は、表示システムの動作の一例を示すフロー図である。
【図８】図８は、表示システムの動作の一例を示すフロー図である。
【図９−１】図９−１は、表示システムに表示させる画像を説明するための説明図である。
【図９−２】図９−２は、表示システムに表示させる画像を説明するための説明図である。
【図９−３】図９−３は、表示システムに表示させる画像を説明するための説明図である。
【図９−４】図９−４は、表示システムに表示させる画像を説明するための説明図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、パーソナルコンピュータと携帯電子機器（携帯電話機）とを通信回線で接続した装置を例として表示システムの説明をするが、本発明の適用対象は、これに限定されるものではない。例えば、パーソナルコンピュータとプロジェクタとを通信回線で接続した装置、携帯電話機等の表示部を有する携帯電子機器を２つ接続した装置にも用いることができる。また、複数の機器を通信回線で繋げることに限定されず、１つの機器に液晶表示モニタとプロジェクタ機能を有する機器や、２つの液晶表示モニタを有する機器等にも用いることができる。また、携帯電子機器は、携帯電話機に限定されるものではなく、例えば、少なくとも１つの表示部を備えたＰＨＳ（Personal Handyphone System）、ＰＤＡ（携帯情報端末）、ポータブルナビゲーション装置、ノートパソコン、ゲーム機等に対しても本発明は適用できる。
【００２３】
以下、図１−１及び図１−２を用いて、表示システム１０の装置構成を説明する。図１−１は、表示システムの一実施形態の概略構成を示す模式図であり、図１−２は、図１−１に示す表示システムの概略構成を示すブロック図である。図１−１に示すように、表示システム１０は、パーソナルコンピュータ（以下「ＰＣ」という。）１２と、携帯電子機器１４と、通信回線１６とで構成されている。以下、各部について説明する。
【００２４】
まず、パーソナルコンピュータ（ＰＣ）１２は、処理装置２０と、画像を表示する表示部２２と、操作者により指示が入力される操作部２４とで構成されている。なお、ＰＣ１２は、これら以外にも、ＰＣとして通常備える各種構成、例えば、記憶媒体読取部（ＣＤ−Ｒ、ＤＶＤ−Ｒ、ＵＳＢ端子）や、音声出力部、音声入力部等も有する。処理装置２０は、各部の動作を制御する制御部２６と、各種情報を記憶する記憶部２８と、他の機器と情報の送受信を行う外部通信部３０とを有する。
【００２５】
制御部２６は、ＣＰＵ（Central Processing Unit）等のＰＣ１２及び表示システム１０の全体的な動作を統括的に制御する処理部である。すなわち、表示システム１０の各種の処理が、操作部２４の操作や処理装置２０の記憶部２８に保存されるソフトウェアに応じて適切な手順で実行されるように、表示部２２、外部通信部３０等の動作を制御する。
【００２６】
制御部２６は、記憶部２８に保存されているプログラム（例えば、オペレーティングシステムプログラム、アプリケーションプログラム等）に基づいて処理を実行する。制御部２６は、例えば、マイクロプロセッサユニット（ＭＰＵ：Micro Processor Unit）で構成され、前記ソフトウェアで指示された手順にしたがって上述したＰＣ１２及び表示システム１０の各種の処理を実行する。すなわち、制御部２６は、記憶部２８に保存されるオペレーティングシステムプログラムやアプリケーションプログラム等から命令コードを順次読み込んで処理を実行する。
【００２７】
制御部２６は、複数のアプリケーションプログラムを実行する機能を有する。制御部２６が実行するアプリケーションプログラムとしては、例えば、静止画や動画を再生する画像再生アプリケーションプログラム、操作部２４の操作に基づいて表示部２２に表示させる画像及び外部通信部３０を介して携帯電子機器１４に送る画像情報を制御するアプリケーションプログラム、各種ゲームを作動させるゲームアプリケーションプログラム等の複数のアプリケーションプログラムがある。
【００２８】
記憶部２８は、制御部２６での処理に利用されるソフトウェアやデータが保存されており、上述した、プロジェクタの駆動を制御するアプリケーションプログラムを作動させるタスクや、静止画や動画を再生する画像再生アプリケーションプログラムを作動させるタスク、各種ゲームアプリケーションプログラムを作動させるタスクが保存されている。
【００２９】
また、記憶部２８には、これらのタスク以外にも、例えば、通信、ダウンロードされたデータ、あるいは記憶部２８に対する制御に制御部２６が用いるソフトウェア、ソフトウェアの処理過程で用いられる一時的なデータ等が保存されている。なお、ソフトウェアの処理過程で用いられるコンピュータプログラムや一時的なデータは、制御部２６によって記憶部２８に割り当てられた作業領域へ一時的に保存される。記憶部２８は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。なお、記憶部２８の配置位置は、特に限定されず、パーソナルコンピュータ１２内部に配置されていてもよい。また、記憶部２８は、外部記憶装置として、外付けハードディスクや、外部のサーバ等に配置されていてもよい。また、記憶部２８は、携帯電子機器１４の記憶部の一部であってもよく、この場合は、携帯電子機器１４が外部記録装置として使用される。
【００３０】
外部通信部３０は、有線、無線の通信回線を介して他の機器と情報の送受信を行う。例えば、無線で通信を行う場合は、無線ＬＡＮ（Local Area Network）や、赤外線通信により他の機器との情報の送受信を行い、有線で通信を行う場合は、電線、光ファイバーケーブル等の通信ケーブルを用いて他の機器との送受信を行う。また、外部通信部３０は、上述した有線、無線の通信回線と接続するための接続端子を備えている。接続端子としては、無線の場合は、無線機器、赤外線ポートを用いることができ、有線の場合は、通信回線（ケーブル）と接続できるポート（ＵＳＢ（Universal Serial Bus）ポート、ＬＡＮポート）を用いることができる。
【００３１】
表示部２２は、液晶ディスプレイ（ＬＣＤ、Liquid Crystal Display）や、有機ＥＬ（Organic  Electro−Luminescence）パネルなどで構成された表示パネルを備え、制御部２６から供給される映像データに応じた映像、画像データに応じた画像を表示パネルに表示させる。
【００３２】
操作部２４は、数字キー、文字キー、方向キー、決定キー等の入力キーを備えるキーボードで構成され、キーボードのキーがユーザの操作により入力されると、その操作内容に対応する信号を発生させる。そして、発生した信号は、ユーザの指示として制御部２６へ入力される。なお、操作部２４は、キーボードに限定されず、マウス、ジョイスティック等のポインティングデバイスも用いることができる。表示部２２の表面に接触を検出できる機器を配置し、表示部２２に表示されている情報と表示部２２のどの位置をタッチされたかに基づいてユーザ操作による入力を検出するタッチパネルも用いることができる。ＰＣ１２は、以上のような構成である。
【００３３】
携帯電子機器１４は、無線通信機能および有線通信機能を備えた携帯電話機である。携帯電子機器１４は、ヒンジで連結された２つの部材で構成した折りたたみ可能な筐体に各部を収納した携帯電話機である。なお、本実施形態では、折りたたみ型の筐体としたが、１つの箱型形状の筐体としても、２つの部材をスライドさせる筐体としてもよい。また、３つ以上の部材を連結した筐体も用いることができる。
【００３４】
携帯電子機器１４には、表示部として、図１−１及び図１−２に示す携帯表示部３２が設けられる。携帯表示部３２は、所定の画像として、携帯電子機器１４が受信を待機している状態のときに待ち受け画像を表示したり、携帯電子機器１４の操作を補助するために用いられるメニュー画像を表示したりする。また、携帯表示部３２は、通信回線１６を介してＰＣ１２から供給される画像信号の画像を表示させる。
【００３５】
また、携帯電子機器１４は、通信回線１６と接続するための接続端子を備える。接続端子としては、上述した種々の接続端子を用いることができる。携帯電子機器１４は、通信回線１６を介して連結しているのみであり、通信回線１６を取り外すことで、ＰＣ１２と分離することができる。つまり、携帯電子機器１４は、ＰＣ１２に対して着脱可能な構成である。さらに、携帯電子機器１４は、携帯表示部３２以外にも、携帯電話機として必要な各種機能を備えている。一例として携帯電子機器１４は、基地局等と通信を行い電話通信する送受信部、操作者による操作を入力する操作部、マイクから入力される音声を信号に変換したり、レシーバ、スピーカから出力される音声を生成したりする音声処理部等を有する。また、携帯電子機器１４は、通話機能に加え、メール機能、音声再生機能等種々の機能（アプリケーション）を備えていてもよい。
【００３６】
通信回線１６は、ＰＣ１２の外部通信部３０と携帯電子機器１４とを接続したケーブルであり、外部通信部３０から発信された情報（信号）を携帯電子機器１４に送り、携帯電子機器１４から発信された情報（信号）を外部通信部３０に送る。なお、ケーブルとしては、同軸ケーブル、光ファイバーケーブル等を用いることができる。なお、ＰＣ１２と携帯電子機器１４との間で無線通信を行う場合は、通信回線１６は、赤外線、電波等になる。
【００３７】
次に、図２−１から図２−６を用いて、表示システム１０の動作について説明する。ここで、図２−１から図２−６は、表示システムに表示させる画像を説明するための説明図である。表示システム１０のＰＣ１２の制御部２６は、操作部２４に入力される操作者の操作指示に基づいて、または、予め設定されている指示に基づいて、ＰＣ１２の表示部２２に表示させる画像、及び携帯電子機器１４の携帯表示部３２に表示させる画像を制御する。
【００３８】
まず、図２−１に示すように表示部２２には、外部出力フォルダ４２と、アプリケーション、コンテンツ等により再生、表示する画像のデータ（画像等のデータそのもの、または画像等を取得するための情報）が対応付けられたファイルアイコン（以下、「アイコン」という。）４０ａが表示されている。また、図示を省略したが、表示部２２には、アイコン４０ａ以外にも種々のアイコンが表示されている。ここで、アプリケーションとは、文章作成ソフト、表作成ソフト、画像再生ソフト、動画再生ソフト等であり、コンテンツとは、映画、音楽、演劇、文芸、写真、漫画、アニメーション、コンピュータゲーム、その他の文字、図形、色彩、音声、動作若しくは映像若しくはこれらを組み合わせたもの又はこれらに係る情報を、電子計算機を介して提供するためのプログラムである。
【００３９】
このような状態から、図２−１に示すように、操作者による操作によって、アイコン４０ａを外部出力フォルダ（フォルダアイコン）４２と重なる位置に移動させる。例えば、マウスを使いアイコン４０ａを指定し、ドラッグアンドドロップ操作により、外部出力フォルダ４２に移動させる。アイコン４０ａが外部出力フォルダ４２と重なる位置に移動されると、制御部２６は、アイコン４０ａに対応付けられた静止画、動画（以下、単に「画像」ともいう。）を携帯表示部３２に表示させる画像と判定し、アイコン４０ａに対応付けられた静止画、動画を再生するためのアプリケーション、コンテンツを起動させて、静止画、動画を生成し、図２−２に示すように携帯表示部３２にアイコン４０ａに対応する画像（図２−２中「１」の画像）を表示させる。また、制御部２６は、アイコン４０ａに対応付けられた画像を、表示部２２のウインドウ（子画面）４４に表示させる。なお、アイコン４０ａに対応付けられた画像がウインドウ４４の表示領域よりも大きい場合は、ウインドウ４４に収まる部分のみを表示させ、さらに、スクロールバーにより画像の表示させる領域を移動可能とする。なお、ウインドウ４４の表示領域に合わせて画像の大きさを拡大、縮小してもよい。
【００４０】
次に、図２−２に示すように、操作者による操作によって、アイコン４０ｂを外部出力フォルダ４２と重なる位置に移動させる。アイコン４０ｂが外部出力フォルダ４２と重なる位置に移動されると、制御部２６は、アイコン４０ｂに対応付けられた画像を携帯表示部３２に表示させる画像と判定し、図２−３に示すように携帯表示部３２の表示領域を二分割し、分割した２つの領域にそれぞれアイコン４０ａに対応する画像とアイコン４０ｂに対応する画像（図２−３中「２」の画像）を表示させる。また、同様に、制御部２６は、ウインドウ４４も２つの領域に分割し、それぞれの領域にアイコン４０ａに対応する画像とアイコン４０ｂに対応する画像を表示させる。なお、この場合もアイコン４０ｂに対応付けられた画像を再生するアプリケーション、コンテンツを起動させるが、既に起動させている場合、つまりアイコン４０ａと同一のアプリケーション、コンテンツで画像を再生できる場合は、起動しているアプリケーション、コンテンツを使用してもよい。
【００４１】
次に、図２−３に示すように、操作者による操作によって、アイコン４０ｃを外部出力フォルダ４２と重なる位置に移動させる。アイコン４０ｃが外部出力フォルダ４２と重なる位置に移動されると、制御部２６は、アイコン４０ｃに対応付けられた画像を携帯表示部３２に表示させる画像と判定し、図２−４に示すように携帯表示部３２の表示領域を四分割し、分割した４つの領域にそれぞれアイコン４０ａに対応する画像と、アイコン４０ｂに対応する画像と、アイコン４０ｃに対応する画像（図２−４中「３」の画像）を表示させる。また、同様に、制御部２６は、ウインドウ４４も４つの領域に分割し、それぞれの領域にアイコン４０ａに対応する画像とアイコン４０ｂに対応する画像と、アイコン４０ｃに対応する画像とを表示させる。また、４分割した領域のうち１つの領域は、何も表示させなくてもよいが、空欄である旨を表示したら、予め決められた画像を表示させるようにしてもよい。
【００４２】
また、図２−４に示すように、携帯表示部３２及びウインドウ４４の４分割された領域のうち３つの領域に、それぞれアイコン４０ａに対応する画像と、アイコン４０ｂに対応する画像と、アイコン４０ｃに対応する画像が表示されている状態で、操作者がアイコン４０ｂに対応する画像（図２−４中「２」の画像）を選択する指示を入力すると、制御部２６は、図２−５に示すように、携帯表示部３２及びウインドウ４４にアイコン４０ｂに対応する画像（図２−４中「２」の画像）のみを表示させる。
【００４３】
また、図２−４に示すように、携帯表示部３２及びウインドウ４４の４分割された領域のうち３つの領域に、それぞれアイコン４０ａに対応する画像と、アイコン４０ｂに対応する画像と、アイコン４０ｃに対応する画像が表示されている状態、または、図２−５に示すように、携帯表示部３２及びウインドウ４４にアイコン４０ｂに対応する画像（図２−４中「２」の画像）のみが表示されている状態から、アイコン４０ｂに対応する画像の表示を終了する操作を行うと、制御部２６は、図２−６に示すように、携帯表示部３２の表示領域を二分割し、分割した２つの領域にそれぞれアイコン４０ａに対応する画像とアイコン４０ｃに対応する画像を表示させる。また、同様に、制御部２６は、ウインドウ４４も２つの領域に分割し、それぞれの領域にアイコン４０ａに対応する画像とアイコン４０ｃに対応する画像を表示させる。ここで、アイコン４０ｂに対応する画像の表示を終了する操作としては、例えば、外部出力フォルダ４２をクリック（またはダブルクリック）することによりファイル（画像）の一覧、またはコンテンツ、アプリケーションの一覧を表示させ、その中から、アイコン４０ｂに基づく画像の表示、または、表示させるコンテンツ、アプリケーションを終了する処理を入力する操作や、ウインドウ４４のサブメニューから終了を選択する操作、具体的には、表示されている画像をドラッグアンドドロップし、ウインドウ４４の外の領域に移動させる操作がある。
【００４４】
以上のように、表示システム１０は、携帯表示部３２に表示させたい画像に対応付けたれたアイコンを外部出力フォルダ４２に移動させるのみで、携帯表示部３２に画像を表示させることができる。つまり、操作者によるアイコンの移動のみで、所望の画像を携帯表示部３２に表示させることができる。これにより、操作者が画像を表示させ、その画像を表示させるウインドウのメニューから処理を選択する等の処理を行う必要がなくなり、操作者の操作を簡単にすることができる。
【００４５】
また、表示システム１０は、外部出力フォルダ４２に移動させたアイコンに対応付けられた画像を携帯表示部３２に表示させることで、表示部２２に表示させている操作画面を携帯表示部３２に表示させることなく、携帯表示部３２の表示を制御することができ、さらに、表示システム１０は、表示部２２の画面の一部にウインドウ４４を表示させ、そのウインドウ４４に携帯表示部３２に表示させている画像を表示させることで、操作者が携帯表示部３２に表示させている画像を認識することができる。つまり、表示部２２（一方の表示部）に表示されている画像の一部のみを携帯表示部３２（他の表示部）に表示させるようにすることで、操作者は、表示部２２の画面のみを見ることで、携帯表示部３２の画像及び表示部２２の画像を確認することができる。これにより、操作者は、携帯表示部３２の画像を見ることができない場合でも、両方の表示部に表示されている画像を適切に操作することができる。また、表示部２２の画像の一部のみを携帯表示部３２に表示させるようにすることで、操作者は、表示部２２の、携帯表示部３２に表示させていない領域、つまり、ウインドウの外側の領域で、携帯表示部３２の視聴者には、見せられない画像、見せたくない画像を表示させることができる。これにより、携帯表示部３２にプレゼンテーション用の画像を表示させ、表示部２２には、説明文や、原稿を表示させることが可能となる。また、携帯表示部３２に画像を表示させつつ、次に携帯表示部３２に表示させる画像を探すことも可能となる。これにより、操作者の操作性を高くしつつ、表示部２２と携帯表示部３２の２つの表示部に画像を表示させることができる。
【００４６】
以下、図３から図５を用いて表示システム１０の制御部２６による制御動作を説明する。図３から図５は、それぞれ表示システムの動作の一例を示すフロー図である。なお、図３は、外部出力フォルダ４２にアイコン（アプリケーションまたはコンテンツ）がドロップ（移動）された場合の処理を示すフロー図であり、図４は、携帯表示部３２に画像を出力している状態、つまり外部出力がされている場合の処理を示すフロー図であり、図５は、携帯表示部３２に表示させる画像を切り替える処理が入力された場合の処理を示すフロー図である。
【００４７】
まず、図３に示す処理を説明する。操作者の操作により外部出力フォルダ４２の表示領域にアイコンが移動（ドロップ）されると、制御部２６は、ステップＳ１０として、外部出力フォルダにドロップされたアプリケーション、コンテンツ、つまり、ドロップされたアイコンに対応付けられた画像を再生するアプリケーション、コンテンツは、再生可能であるかを判定する。つまり、アイコンに画像が対応付けられているか、また、そのアイコンに対応つけられた画像を再生するアプリケーション、コンテンツは、制御部２６で利用可能であるかを判定する。制御部２６は、ステップＳ１０で再生不可能（Ｎｏ）、つまり、ドロップされたアイコンには再生可能な画像が対応付けられていないと判定したら、ステップＳ１１として、警告を表示する。例えば、「このファイルは再生できません」というエラーメッセージを表示部２２に表示させる。制御部２６は、ステップＳ１１の処理を終了したら、処理を終了する。
【００４８】
また、制御部２６は、ステップＳ１０で再生可能（Ｙｅｓ）、つまり、ドロップされたアイコンに再生可能な画像が対応付けられていると判定したら、ステップＳ１２として、アプリケーションを起動させる必要があるかを判定する。具体的には、制御部２６は、外部出力フォルダ４２にドロップされたアイコンに対応付けられた画像を再生するために新たにアプリケーションを起動させる必要があるかを判定する。なお、ステップＳ１２ではアプリケーションのみを記載したがコンテンツも同様の処理を行う。
【００４９】
制御部２６は、ステップＳ１２でアプリケーションを起動する必要がある（Ｙｅｓ）と判定したら、ステップＳ１４として、該当するアプリケーションを起動させる、その後、制御部２６は、起動させたアプリケーションで再生する画像（ステップＳ１０でドロップされたアイコンに対応付けられた画像のデータ）をデコードする。制御部２６は、ステップＳ１２でアプリケーションを起動させる必要がない（Ｎｏ）、つまり、必要なアプリケーションが既に起動されている、または、アプリケーションを起動させることなく処理が可能であると判定したら、ステップＳ１６として、外部出力フォルダ４２内で画像のデータをデコードする。なお、デコードには、既に起動させているアプリケーションや、処理機能を使用する。
【００５０】
制御部２６は、ステップＳ１４またはステップＳ１６の処理が終了したら、ステップＳ１８として、外部出力中のアプリケーション（コンテンツ）があるかを判定する。つまり、制御部２６は、携帯表示部３２（外部に相当）に表示（出力に相当）させている画像（つまり、アプリケーションまたはコンテンツを起動させて再生している画像）があるかを判定する。制御部２６は、ステップＳ１８で、外部出力中のアプリケーション（コンテンツ）がある（Ｙｅｓ）、つまり、携帯表示部３２に画像を表示させている状態であると判定したら、ステップＳ２０として、サムネイル表示設定とする。つまり、上述した、図２−３、図２−４に示すように、携帯表示部３２に複数のアイコン（アプリケーション、コンテンツ）に起因する画像を表示させる設定とし、画像信号を生成する。また、制御部２６は、ステップＳ１８で外部出力中のアプリケーションが無い（Ｎｏ）、つまり、携帯表示部３２には、画像を表示させていないと判定すると、ステップＳ２２として通常表示設定とする。つまり、制御部２６は、図２−２に示すように、ステップＳ１４またはステップＳ１６でデコードした画像のみを携帯表示部３２に表示させる設定とする。
【００５１】
制御部２６は、ステップＳ２０またはステップＳ２２の処置を終了したら、ステップＳ２４として、子画面が表示中かを判定する。つまり、表示部２２にウインドウ４４を表示させているかを判定する。制御部２６は、ステップＳ２４で子画面を表示させている（Ｙｅｓ）と判定したら、ステップＳ２８に進む。また、制御部２６は、ステップＳ２４で子画面を表示していない（Ｎｏ）と判定したら、ステップＳ２６として、表示部２２に子画面（ウインドウ）を新たに表示させる。
【００５２】
制御部２６は、ステップＳ２４でＹｅｓと判定したら、またはステップＳ２６の処理を終了したら、ステップＳ２８として、指定された外部出力ポートへ画像の出力を行う。つまり、制御部２６は、生成した画像を外部通信部３０及び通信回線１６を介して、携帯電子機器１４に送る。これにより携帯電子機器１４の携帯表示部３２には、制御部２６から送られた画像が表示される。また、制御部２６は、表示部２２の子画面、つまりウインドウ４４にも同様の画像を表示させる。制御部２６は、ステップＳ２８の処理が終了したら、処理を終了する。制御部２６は、外部出力フォルダ４２にアイコンが移動される毎に上記処理を繰り返す。
【００５３】
次に、図４に示す処理を説明する。制御部２６は、携帯表示部３２に画像を表示させている状態で図４に示す処理を行う。まず、制御部２６は、ステップＳ３０として、外部出力フォルダリストから出力停止アプリケーション（コンテンツ）が選択されたかを判定する。つまり、制御部２６は、操作者による操作により、外部出力フォルダ４２の操作メニューから画像を表示させているアプリケーション（コンテンツ）を停止する操作が入力されたかを判定する。制御部２６は、ステップＳ３０で、出力停止アプリケーション（コンテンツ）が選択された（Ｙｅｓ）と判定したら、ステップＳ３６に進む。
【００５４】
また、制御部２６は、ステップＳ３０で出力停止アプリケーション（コンテンツ）が選択されていない（Ｎｏ）と判定したら、ステップＳ３２として、子画面（ウインドウ）より出力停止アプリケーション（コンテンツ）が選択されたかを判定する。つまり、制御部２６は、操作者によりウインドウ４４が操作され、ウインドウ４４及び携帯表示部３２に画像を表示させているアプリケーション（コンテンツ）を停止する操作が入力されたかを判定する。制御部２６は、ステップＳ３２で、出力停止アプリケーション（コンテンツ）が選択された（Ｙｅｓ）と判定したら、ステップＳ３６に進む。
【００５５】
また、制御部２６は、ステップＳ３２で出力停止アプリケーション（コンテンツ）が選択されていない（Ｎｏ）と判定したら、ステップＳ３４として、再生完了時に終了設定しているアプリケーション（コンテンツ）を再生完了したかを判定する。制御部２６は、ステップＳ３４で、再生完了した（Ｙｅｓ）と判定したら、ステップＳ３６に進む。また、制御部２６は、ステップＳ３４で、再生完了していない（Ｎｏ）と判定したら、処理を終了し、携帯表示部３２での画像の表示を継続する。
【００５６】
制御部２６は、ステップＳ３０、Ｓ３２、Ｓ３４でＹｅｓと判定したら、ステップＳ３６として、該当するアプリケーション（コンテンツ）を終了する。つまり、制御部２６は、ステップＳ３６として、ステップＳ３０、またはステップＳ３２で終了指示が入力されたアプリケーション（コンテンツ）による画像の表示を終了させる。もしくは、制御部２６は、ステップＳ３６として、ステップＳ３４で再生完了したと判定したアプリケーション（コンテンツ）の表示を終了させる。
【００５７】
制御部２６は、ステップＳ３６の処理を終了したら、ステップＳ３８として、外部出力中のアプリケーション（コンテンツ）があるかを判定する。つまり、制御部２６は、ステップＳ３６で終了させたアプリケーション（コンテンツ）以外にも、携帯表示部３２に画像を表示させている、または、画像を表示させる設定となっているアプリケーション（コンテンツ）があるかを判定する。制御部２６は、ステップＳ３８で、外部出力中のアプリケーション（コンテンツ）がある（Ｙｅｓ）、つまり、継続して、携帯表示部３２に画像を表示させる状態であると判定したら、処理を終了する。
【００５８】
また、制御部２６は、ステップＳ３８で、外部出力中のアプリケーション（コンテンツ）がない（Ｎｏ）、つまり、携帯表示部３２に画像を表示させる設定のアプリケーション（コンテンツ）がないと判定したら、ステップＳ４０として、子画面を非表示、つまり表示部２２に表示させているウインドウ４４を非表示にし、ステップＳ４２として、指定された外部出力ポートへ画像の出力を停止、つまり、携帯電子機器１４への画像情報の出力を停止して、処理を終了する。表示システム１０は、以上の処理を繰り返すことで、携帯表示部３２での画像の表示、非表示およびそれらを制御するためのアプリケーション（コンテンツ）の起動、停止を制御する。
【００５９】
次に、図５に示す処理を説明する。制御部２６は、携帯表示部３２に表示させる画像を切り替える処理が入力されたら図５に示す処理を行う。携帯表示部３２に表示させる画像を切り替える処理とは、サムネイル表示（複数画像表示）を通常表示（１画像表示）に切り替える処理、または、通常表示をサムネイル表示に切り替える処理である。なお、操作者によって入力される操作としては、表示する画像（起動するアプリケーション等）を追加する操作、削除する操作、また、複数の画像が表示されている状態から１つの画像を表示させる状態にする操作等である。
【００６０】
まず、制御部２６は、操作者により表示を切り替える操作が入力されたことを検出したら、ステップＳ５０として、携帯表示部３２がサムネイル表示中であるかを判定する。制御部２６は、ステップＳ５０でサムネイル表示中である（Ｙｅｓ）と判定したら、ステップＳ５２として、通常表示への切替操作であるかを判定する。つまり、制御部２６は、ステップＳ５２として、携帯表示部３２の表示をサムネイル表示から通常表示へ切り替える操作が入力されたかを判定する。制御部２６は、ステップＳ５２で通常表示への切替操作である（Ｙｅｓ）と判定したら、ステップＳ５４として、携帯表示部３２の表示を通常表示に切り替え、処理を終了する。また、制御部２６は、ステップＳ５２で通常表示への切替操作ではない（Ｎｏ）と判定したら、そのまま処理を終了する。
【００６１】
また、制御部２６は、ステップＳ５０でサムネイル表示中ではない（Ｎｏ）と判定したら、ステップＳ５６として、サムネイル表示への切替操作であるかを判定する。つまり、制御部２６は、ステップＳ５６として、携帯表示部３２の表示を通常表示からサムネイル表示へ切り替える操作が入力されたかを判定する。制御部２６は、ステップＳ５６でサムネイル表示への切替操作である（Ｙｅｓ）と判定したら、ステップＳ５８として、携帯表示部３２の表示をサムネイル表示に切り替え、処理を終了する。また、制御部２６は、ステップＳ５６でサムネイル表示への切替操作ではない（Ｎｏ）と判定したら、そのまま処理を終了する。表示システム１０は、以上の処理を行うことで、携帯表示部３２の表示を切り替えることができる。
【００６２】
ここで、上記実施形態では、表示部２２のウインドウ４４に、携帯表示部３２に表示させる画像と同じ画像を表示させるようにしたが、表示部２２、ウインドウ４４には、種々の表示や、処理機能を追加することができる。以下、図６とともに、ウインドウ４４の他の例について説明する。ここで、図６は、表示システムの表示部に表示させる画像の他の例を説明するための説明図である。また、図６は、表示部２２のうち、ウインドウに関連する部分のみを示す図であり、また、操作されることで、ウインドウ４４ａからウインドウ４４ｅまで、表示が切り替わる。
【００６３】
図６に示すように、ウインドウ４４ａは、四角形のウインドウであり、図中上側の辺にアプリ（アプリケーションの略である）１、図中右側の辺にアプリ２、図中下側の辺にアプリ３、図中左側の辺にアプリ４が割り付けられている。操作者は、ウインドウ４４ａの各辺を指定し、操作を行うことで、ウインドウ４４ａに表示させる画像、また、携帯表示部３２に表示させる画像を操作することができる。また、ウインドウ４４ａのどの辺にどのアプリを割り付けるか、また、アプリを割り付けないか等は、操作者の操作により設定することができる。
【００６４】
図６に示すウインドウ４４ａの状態から、操作者が操作し、アプリ１を表示させる操作をすると、ウインドウ４４ｂに示すようにウインドウ４４ｂ内には、アプリ１に対応する画像が表示される。
【００６５】
次に、ウインドウ４４ｂに示す状態から、操作者による操作カーソルをウインドウの右辺上に予め設定されている時間以上合わせるとウインドウ４４ｃに示すように、アプリ２の吹き出し４６が表示される。なお、吹き出し４６としては、アプリ２の画像の関するテキスト（例えばデータの名前）や、縮小画像等を表示させる。
【００６６】
次に、ウインドウ４４ｃに示す状態から、操作者が、カーソルをウインドウ内に移動させる操作を入力すると、制御部２６は、表示切替の指示が入力されたと判定して、ウインドウ４４ｄに示すようにウインドウ内に表示させるアプリをアプリ１からアプリ２に切り替える。なお、表示切替指示としては、これに限定されず、右辺での所定の操作（例えばダブルクリック）の入力、右辺を指定してウインドウ内にドラッグアンドドロップする操作を切替操作として設定してもよい。
【００６７】
次に、ウインドウ４４ｄに示す状態から、操作者が、右辺を通過するように、カーソルをウインドウ内からウインドウの外に移動させる操作を入力すると、制御部２６は、アプリ２の画像の表示の終了指示が入力されたと判定し、ウインドウ４４ｅに示すように、ウインドウ内でのアプリ２の表示を終了し、アプリ１を表示させる。
【００６８】
このように、表示システム１０は、ウインドウの周囲、例えば、外周の辺にアプリ（の画像）を対応付けることで、携帯表示部３２に表示させる画像を簡単に切り替えることができる。また、各辺に対応付けられた（割り当てられた）アプリの縮小画像やデータを表示させることで、携帯表示部３２に表示させる画像を選択しやすくすることができる。また、意図しない画像を携帯表示部３２に表示させることも防ぐことができる。
【００６９】
なお、ウインドウの４辺は、対応付けられた（つまり登録された）アプリの画像をウインドウ内及び携帯表示部３２に表示させているか否か、アプリが対応つけられているか否か、また、対応付けられているアプリの種類等により、辺の表示状態、具体的には、表示させる色、線の太さ、線の種類（点線、実線）、表示方法（点滅、常時表示、常時非表示）等を切り替えるようにすることが好ましい。これにより、各辺の状態を目視で確認することができ、操作性をより高くすることができる。
【００７０】
以下、図７及び図８を用いて表示システム１０の制御部２６による制御動作を説明する。図７及び図８は、それぞれ表示システムの動作の一例を示すフロー図である。なお、図７は、外部出力フォルダ４２にアイコン（アプリケーションまたはコンテンツ）がドロップ（移動）された場合の処理を示すフロー図であり、図８は、ウインドウが表示されている状態での処理を示すフロー図である。
【００７１】
まず、図７に示す処理を説明する。なお、図７に示す例ではウインドウが表示された状態となっている。まず、操作者の操作により外部出力フォルダ４２の表示領域にアイコンが移動（ドロップ）されると、制御部２６は、ステップＳ１０として、外部出力フォルダ４２にドロップされたアプリケーション、コンテンツ、つまり、ドロップされたアイコンに対応付けられた画像を再生するアプリケーション、コンテンツは、再生可能であるかを判定する。制御部２６は、ステップＳ１０で再生不可能（Ｎｏ）と判定したら、ステップＳ１１として、警告を表示する。制御部２６は、ステップＳ１１の処理を終了したら、処理を終了する。
【００７２】
また、制御部２６は、ステップＳ１０で再生可能（Ｙｅｓ）と判定したら、ステップＳ６０として、子画面の４辺の全てに登録されているかを判定する。つまり、制御部２６は、ウインドウの４辺の全てにアプリが対応付けられた状態であるかを判定する。制御部２６は、ステップＳ６０で４辺の全てにアプリが対応付けられている（Ｙｅｓ）と判定したら、ドロップされたアプリケーション（コンテンツ）は再生不可能と判定し、ステップＳ１１に進む。なお、この場合にステップＳ１１で表示させるメッセージは、アプリに空きがない旨のメッセージを表示させることが好ましい。
【００７３】
また、制御部２６は、ステップＳ６０で、４辺の全てにアプリが対応付けられていない（Ｎｏ）、つまり、４辺の少なくとも１辺にアプリが対応付けられておらず、対応付けが可能であると判定したら、ステップＳ６２として、空いている辺にアプリケーション（コンテンツ）を登録する。つまり、制御部２６は、アプリケーションが対応付けられていない辺にステップＳ１０でドロップされたアイコンに対応付けられたアプリケーション（コンテンツ）を対応つける。
【００７４】
制御部２６は、ステップＳ６２の処理を終了したら、ステップＳ１２として、アプリケーションを起動させる必要があるかを判定する。制御部２６は、ステップＳ１２でアプリケーションを起動する必要がある（Ｙｅｓ）と判定したら、ステップＳ１４として、該当するアプリケーションを起動させる、その後、制御部２６は、起動させたアプリケーションで再生する画像をデコードする。制御部２６は、ステップＳ１２でアプリケーションを起動させる必要がない（Ｎｏ）と判定したら、ステップＳ１６として、外部出力フォルダ４２内で画像をデコードする。
【００７５】
制御部２６は、ステップＳ１４またはステップＳ１６の処理が終了したら、ステップＳ２４として、子画面が表示中かを判定する。つまり、表示部２２にウインドウを表示させているかを判定する。制御部２６は、ステップＳ２４で子画面を表示させている（Ｙｅｓ）と判定したら、ステップＳ２８に進む。また、制御部２６は、ステップＳ２４で子画面を表示していない（Ｎｏ）と判定したら、ステップＳ２６として、表示部２２に子画面（ウインドウ）を新たに表示させる。
【００７６】
制御部２６は、ステップＳ２４でＹｅｓと判定したら、またはステップＳ２６の処理を終了したら、ステップＳ２８として、指定された外部出力ポートへ画像の出力を行う。つまり、制御部２６は、生成した画像を外部通信部３０及び通信回線１６を介して、携帯電子機器１４に送る。これにより携帯電子機器１４の携帯表示部３２には、制御部２６から送られた画像が表示される。また、制御部２６は、表示部２２の子画面、つまりウインドウにも同様の画像を表示させる。制御部２６は、ステップＳ２８の処理が終了したら、処理を終了する。制御部２６は、外部出力フォルダ４２にアイコンが移動される毎に上記処理を繰り返す。
【００７７】
次に、図８に示す処理を説明する。制御部２６は、ウインドウが表示されている状態で図８に示す処理を行う。まず、制御部２６は、ステップＳ７０として、イベント待ちを行い、イベント発生（基本的には操作者による操作）を検出したら、ステップＳ７２に進む。
【００７８】
制御部２６は、ステップＳ７２として、カーソルが４辺上に一定時間あるか判定する。つまり、操作者によって操作されているカーソルがウインドウの４辺のいずれかの辺に一定時間以上あるかを判定する。制御部２６は、ステップＳ７２で４辺上にカーソルが一定時間ある（Ｙｅｓ）と判定したら、ステップＳ７４として、該当辺、つまり、カーソルがある辺に登録されているアプリケーション（コンテンツ）があるかを判定する。制御部２６は、アプリケーション（コンテンツ）が登録されている（Ｙｅｓ）と判定したら、ステップＳ７６として、登録されているアプリケーション（コンテンツ）を吹出しとして表示させ、ステップＳ７０に進む。つまり、カーソルが重なっている辺に登録されているアプリケーション（コンテンツ）の情報を吹出しとして表示させ、その後、再びイベント待ちを行う。また、制御部２６は、ステップＳ７４で、アプリケーション（コンテンツ）が登録されていない（Ｎｏ）と判定したら、ステップＳ７０に進み、イベント待ちを行う。
【００７９】
次に、制御部２６は、ステップＳ７２で、カーソルが４辺上に一定時間ない（Ｎｏ）と判定したら、ステップＳ７８として、カーソルがドラッグ状態、かつ、子画面（ウインドウ）内にカーソルが移動したかを判定する。具体的には、カーソルがドラッグされた状態を維持して、ウインドウの外部から任意の辺を通過して内部に移動されたかを判定する。制御部２６は、ステップＳ７８でカーソルがドラッグ状態、かつ、子画面（ウインドウ）内にカーソルが移動した（Ｙｅｓ）と判定したら、ステップＳ８０として、該当辺、つまり、カーソルが通過した辺に登録されているアプリケーション（コンテンツ）があるかを判定する。制御部２６は、ステップＳ８０で、アプリケーション（コンテンツ）が登録されていない（Ｎｏ）と判定したら、ステップＳ７０に進み、イベント待ちを行う。
【００８０】
制御部２６は、ステップＳ８０でアプリケーション（コンテンツ）が登録されている（Ｙｅｓ）と判定したら、ステップＳ８２として、現在外部出力中のアプリケーション（コンテンツ）を停止する。つまり、携帯表示部３２に表示させているアプリケーション（コンテンツ）を停止する。その後、制御部２６は、ステップＳ８４として、該当辺に登録されているアプリケーション（コンテンツ）を外部出力する。つまり、カーソルが通過した辺に登録されているアプリケーション（コンテンツ）の画像を携帯表示部３２に表示させる。その後、制御部２６は、ステップＳ８６として、４辺の表示を変更する。具体的には、ウインドウの４辺のうち、ステップＳ８２でウインドウでも画像の表示を停止したアプリに対応した辺と、ステップＳ８４でウインドウに画像を表示させるアプリに対応した辺を表示する色、太さを設定に基づいて変更する。制御部２６は、その後ステップＳ７０に進み、イベント待ちを行う。
【００８１】
次に、制御部２６は、ステップＳ７８でカーソルがドラッグされた状態で、子画面（ウインドウ）内にカーソルが移動していない（Ｎｏ）と判定したら、ステップＳ８８として、カーソルがドラッグ状態、かつ、子画面（ウインドウ）外にカーソルが移動したかを判定する。具体的には、カーソルがドラッグされた状態を維持して、ウインドウの内部から任意の辺を通過して外部に移動されたかを判定する。制御部２６は、ステップＳ８８で、カーソルがドラッグ状態、かつ、子画面（ウインドウ）外にカーソルが移動していない（Ｎｏ）と判定したら、ステップＳ９０として、吹出し表示中であるかを判定する。制御部２６は、ステップＳ９０で吹出し表示中ではない（Ｎｏ）と判定したら、ステップＳ７０に進み、イベント待ちを行う。
【００８２】
また、制御部２６は、ステップＳ９０で、吹出し表示中である（Ｙｅｓ）と判定したら、ステップＳ９２として、カーソルが４辺上以外に移動したかを判定する。制御部２６は、カーソルが４辺上以外に移動した（Ｙｅｓ）、つまり、４辺上ではないと判定できる領域まで移動したと判定したら、ステップＳ９６に進む。また、制御部２６は、ステップＳ９２でカーソルが４辺上以外に移動していない（Ｎｏ）、つまり、カーソルが４辺上にあると判定したら、ステップＳ９４として、吹出し表示が一定時間以上経過したかを判定する。制御部２６は、ステップＳ９４で、吹出し表示が一定時間経過していない（Ｎｏ）と判定したら、ステップＳ７０に進み、イベント待ちを行う。つまり、吹出しを表示したままとする。
【００８３】
また、制御部２６は、ステップＳ９２でカーソルが４辺上以外に移動した（Ｙｅｓ）と判定したら、また、ステップＳ９４で一定時間経過した（Ｙｅｓ）と判定したら、ステップＳ９６として、吹き出しを非表示に切り替えた後、ステップＳ７０に進み、イベント待ちを行う。
【００８４】
また、制御部２６は、ステップＳ８８で、カーソルがドラッグ状態、かつ、子画面（ウインドウ）外にカーソルが移動した（Ｙｅｓ）と判定したら、ステップＳ９８として、該当辺、つまり、カーソルが通過した辺に登録されているアプリケーション（コンテンツ）があるかを判定する。制御部２６は、ステップＳ９８で、アプリケーション（コンテンツ）が登録されていない（Ｎｏ）と判定したら、ステップＳ７０に進み、イベント待ちを行う。
【００８５】
制御部２６は、ステップＳ９８でアプリケーション（コンテンツ）が登録されている（Ｙｅｓ）と判定したら、ステップＳ１００として、該当辺に登録されているアプリケーション（コンテンツ）を削除する。つまり、登録されているアプリケーション（コンテンツ）と辺との対応付けを解消する。その後、制御部２６は、ステップＳ１０２として、他に登録中のアプリケーション（コンテンツ）があるかを判定する。つまり、制御部２６は、４辺のいずれかにまだ登録されたアプリケーション（コンテンツ）があるかを判定する。
【００８６】
制御部２６は、ステップＳ１０２で登録されているアプリケーション（コンテンツ）がある（Ｙｅｓ）と判定したら、ステップＳ１０４として、削除したアプリケーション（コンテンツ）が外部出力中であったか、つまりウインドウ内及び携帯表示部３２に表示させているアプリであったかを判定する。制御部２６は、ステップＳ１０４で外部出力中ではない（Ｎｏ）と判定したら、ステップＳ７０に進み、イベント待ちを行う。
【００８７】
また、制御部２６は、ステップＳ１０４で外部出力中であった（Ｙｅｓ）と判定したら、ステップＳ１０６として、停止中のアプリケーション（コンテンツ）を外部出力する。つまり、ステップＳ１００で削除したアプリを再生するために、停止していたアプリをウインドウ及び携帯表示部３２に表示させる。なお、再生するアプリが設定されていない場合は、画像の表示を停止してもよい。制御部２６は、ステップＳ１０６で外部出力を行ったらステップＳ７０に進み、イベント待ちを行う。
【００８８】
制御部２６は、ステップＳ１０２で登録されているアプリケーション（コンテンツ）がない（Ｎｏ）と判定したら、ステップＳ１０８として、子画面（ウインドウ）を非表示とし、処理を終了する。
【００８９】
表示システム１０は、以上のようにウインドウの４辺とアプリの対応付け、また、ウインドウ、携帯表示部に表示させる画像の切り替えを行うことで、より簡単な操作で表示を切り替えることができる。
【００９０】
なお、上記実施形態では、ウインドウの４辺にそれぞれ１つのアプリケーション（コンテンツ）を対応付けたが、これには限定されない。例えば、１辺を複数の領域に分け、夫々の領域とアプリケーション（コンテンツ）を対応付けてもよい。また、ウインドウを多角形とし、アプリケーション（コンテンツ）の数に応じて、辺の数を増やすようにしてもよい。
【００９１】
また、アプリケーション（コンテンツ）には、１つの画像を対応つけてもよい、つまり、１つの画像に対応させて１つのアプリケーション（コンテンツ）を駆動させるようにしてもよいが、同一のアプリケーション（コンテンツ）で再生できる複数の画像を１つのアプリケーション（コンテンツ）で駆動させてもよい。なお、この場合は、アプリケーション（コンテンツ）の操作で、複数の画像から再生する画像を選択すればよい。また、再生の開始、停止は、画像毎に操作できるようにすればよい。
【００９２】
また、上記実施形態では、画像を再生させるアプリケーション、コンテンツは、１種類としたが、複数のアプリケーションで再生可能な画像を用いる場合もある。例えば動画再生ソフト、画像再生ソフト等は、複数のソフトがあり、使用目的に応じて、種々のアプリケーションソフトを選択する場合がある。この場合は、予め設定されたアプリケーションで再生するようにしてもよいが、再生前に、使用するアプリケーション、コンテンツを選択できるようにすることが好ましい。これにより、操作者の選択の余地を広げることができる。また、この場合は、外部出力フォルダ、またはウインドウ（つまり、フォルダアイコン）の周囲に、使用する候補のアプリケーションをアイコンとして表示させ、操作者に選択できるようにすることが好ましい。制御部は、操作者が使用するアプリケーションのアイコンをクリック（選択）し、外部出力フォルダ上、またはウインドウ上に移動させことを検出したら、選択されたアプリケーションを使用して画像を生成し、携帯表示部に表示させる。なお、アプリケーションの選択は、外部出力フォルダ、またはウインドウにアイコンを移動させた際、または、そのアイコンに再生指示を入力する際に行うようにすることが好ましい。なお、再生する画像が対応付けられたアイコンの周囲に使用する候補のアプリケーションをアイコンとして表示させ、上記と同様の制御を行ってもよい。
【００９３】
また、表示システム１０は、再生する画像として、通信回線を使用し、外部記録装置に記憶されている画像情報を使用する場合、例えば、インターネット回線を利用しサーバから取得した画像を表示させる場合は、上述した画像の表示処理を行いつつ、取得した画像情報を記憶部２８に保存することが好ましい。これにより、同一の画像を再生する場合に、再び外部から画像を取得する必要がなくなり、情報の処理量を低減することができ、また迅速に画像を再生することができる。
【００９４】
次に、図９−１から図９−４を用いて、表示システム１０のウインドウの動作について説明する。ここで、図９−１から図９−４は、表示システムに表示させる画像を説明するための説明図である。本実施形態では、制御部２６は、ＰＣ１２に表示させている画像のうち、携帯表示部３２にも表示させている領域（ウインドウ）の外周に表示枠５０を表示させている。つまり、制御部２６は、基本的に表示部２２に表示させている画像のうち、表示枠５０で囲われている領域の画像を携帯表示部３２に表示させる。なお、図９−１に示す例では、表示枠５０に１つのウインドウの全画像が表示される場合とした。このため、画像の外縁が表示枠５０と重なっている。
【００９５】
なお、表示システム１０は、ウインドウの表示枠の大きさ、位置、つまり表示部２２のうち表示枠５０が占める割合、また、表示部２２内における表示枠５０の位置は、変更することができる。また、ウインドウ内に表示させている画像と表示枠５０との関係も適宜変更することができる。また、表示システム１０は、表示部２２内に表示された表示枠５０及びウインドウを制御することで、携帯表示部３２に表示する画像を制御することができる。
【００９６】
以下、図９−２から図９−４を用いて、具体的に説明する。まず、図９−２の左側に示すように、表示部２２の一部には、表示枠５０に囲われた画像が表示されている。つまり、図９−１に示す表示部２２に示す状態で画像が表示されている。また、上述したように、表示枠５０には、ウインドウに表示されている画像（アプリの画像）の外縁を示す画像枠５２が重なっている。なお、携帯表示部３２にも同様の画像が表示されている。この状態で、図９−２の中央の図に示すように、操作者の操作によりウインドウ内の画像枠５２のみを大きくする操作を行う。なお、本実施形態では、画像操作時には、ウインドウに表示されている画像のうち、表示枠５０よりも外側となる部分の画像も表示される。このように画像枠５２のみを大きくする操作を行うと、ウインドウに表示されている画像は、画像枠５２とともに拡大して表示され、図９−２の右側の図に示すように、表示枠５０には、画像枠５２の一部の画像のみが入った状態となる。これにより、携帯表示部３２にも、画像枠５２内の画像のうちの表示枠５０に囲われた一部の画像のみが表示される。
【００９７】
次に、図９−３の左上の図に示すように、画像の内の表示枠５０に囲われた一部の画像のみが表示されている状態（つまり、図９−２の右側の図の状態）から、図９−３の中央上に示す図のように画像枠５２を表示枠５０よりも小さくする操作を行う。つまり、図９−３の中央上に示すように画像枠５２を実線で示している大きさ及び位置から点線で示している大きさ及び位置に変化させる。なお、画像枠５２は、ドラッグアンドドロップ操作で大きさ、位置を変化させることができる。また、画像の操作時には、図９−３の中央上の図に示すように表示枠５０よりも外側の画像、及び画像の画像枠５２も表示部２２に表示される。このように画像枠５２を点線の位置、大きさまで変化させると、図９−３の中央下の図に示すように、画像枠５２が表示枠５０よりも小さくなり、携帯表示部３２には、図９−３の右下の図に示すように、画像枠５２内の画像に加え、表示部２２の画像枠５２よりも外側で表示枠５０よりも内側に表示されている画像も表示される状態となる。また、図９−３では、携帯表示部３２には、画像枠５２を表示しない設定としているため、画像枠５２は表示されない。
【００９８】
次に、図９−４の左の図に示すように、画像の内の表示枠５０に囲われた一部の画像のみが表示されている状態（つまり、図９−２の右側の図の状態）から、図９−４の中央の図に示すように画像枠５２を表示させた状態とした後、図９−４の右上の図に示すように、表示枠５０と画像枠５２との相対位置を移動させる。具体的には、画像枠５２を右側にドラッグする。これにより、表示枠５０と画像枠５２との相対位置が変化し、図９−４の右下の図に示すように、表示枠５０内には、画像枠５２の画像のうち、図９−４の左の図とは異なる部分の画像を表示させることができる。
【００９９】
このように、表示枠５０と画像枠５２とを相対的に操作し、ウインドウ内の画像が操作できることで、携帯表示部３２により適切な画像を表示させることができる。操作者は、表示部２２の画像のみを確認しながら、操作を行うことができる。
【０１００】
なお、図９−２から図９−４では、１つの画像を表示枠に対して拡大、縮小、移動した場合の説明をしたが、本発明はこれに限定されず、表示枠、ウインドウは、種々の操作を行うことができる。
【０１０１】
また、表示システムは、表示枠の大きさにかかわらず、携帯表示部の全画面を利用して表示枠内の画像を表示させるようにしてもよい。つまり、表示枠内の画像を携帯表示部に全画面表示するようにしてもよい。この場合、表示枠の形状（縦横比）と携帯表示部の画面の形状が異なる場合は、制御部で表示枠内の画像の引き伸ばし、圧縮等の処理を行い、画像を表示させる。また、表示部に表示されている画像の画素または大きさに合わせて、携帯表示部に表示させてもよい。つまり、表示枠内の画像をそのまま、携帯表示部に表示させてもよい。この場合、表示枠の形状（縦横比）と携帯表示部の画面の形状が異なる場合は、携帯表示部の画面の一部には、画像が表示されない。
【０１０２】
また、上記実施形態では、表示枠を矩形としたが、表示枠の大きさ、形状は、種々の形状とすることができる。例えば、□、○、☆形、ハート形、任意の形状等の形状とすることができる。
【０１０３】
また、表示システムは、表示枠及び／または表示枠内のウインドウの操作が設定された時間行われなかったら、表示部のウインドウを非表示とする設定としてもよい。操作が行われない場合は非表示とすることで、表示部の表示領域を有効に活用することができる。
【０１０４】
また、上記実施形態では、表示システムとして、表示部にアイコンを投入する外部出力フォルダと、携帯表示部に表示させる画像を表示するウインドウの２つを表示させるようにしたが、外部出力フォルダの機能とウインドウの機能とを１つとしてもよい。つまり、携帯表示部に表示させる画像を表示する機能と、携帯表示部に表示させるアイコンを特定する機能とを１つのウインドウに持たせるようにしてもよい。なお、ウインドウは操作者の操作によって表示するようにしても、外部出力フォルダにアイコンが投入されたら、外部出力フォルダがウインドウに変化するようにしてもよい。
【０１０５】
また、表示システムは、携帯表示部に表示させた画像の情報を記憶部に記憶させるようにしてもよい。なお、記憶部には、表示させた画像の全てを記憶させるようにしてもよいが、操作者の操作により指示された画像を記憶させるようにすることが好ましい。このように、携帯表示部に表示させた画像を記憶させることで、携帯表示部に表示させた画像の履歴を残すことができる。また、複数のウインドウの画像を組み合わせて表示させた画像を記憶することができ、操作者が作成した画像を残すことができる。また、この場合は、表示枠の形状の情報、及び／または携帯表示部に表示させた画像（表示枠内の画像）の形状の情報も合わせて記憶させることが好ましい。このように表示枠の形状及び／または記憶させた画像の形状も記憶させることで、種々の形状の画像を記憶、再現することができ、また、作成した画像をそのままの外形形状で再表示することができる。
【０１０６】
なお、上記実施形態では、表示システムの表示部として、一方の表示部（第１表示部）としてＰＣの表示部を用い、他方の表示部（第２表示部）として携帯電子機器の携帯表示部を用いたが、本発明はこれに限定されない。一方の表示部としては、操作者が操作を行う際に見る種々の表示部、例えば携帯電子機器の表示部を用いることができる。また、他方の表示部としても、ＰＣの表示部、種々の液晶モニタ、プロジェクタ等を用いることができる。
【産業上の利用可能性】
【０１０７】
以上のように、本発明にかかる表示システムは、２つの表示部に異なる画像を表示させる電子機器に用いることに適している。
【符号の説明】
【０１０８】
１０  表示システム
１２  パーソナルコンピュータ（ＰＣ）
１４  携帯電子機器
１６  通信回線
２０  処置装置
２２  表示部
２４  操作部
２６  制御部
２８  記憶部
３０  外部通信部
３２  携帯表示部
【図１−１】
0005489617.tif 000002
【図１−２】
0005489617.tif 000003
【図２−１】
0005489617.tif 000004
【図２−２】
0005489617.tif 000005
【図２−３】
0005489617.tif 000006
【図２−４】
0005489617.tif 000007
【図２−５】
0005489617.tif 000008
【図２−６】
0005489617.tif 000009
【図３】
0005489617.tif 000010
【図４】
0005489617.tif 000011
【図５】
0005489617.tif 000012
【図６】
0005489617.tif 000013
【図７】
0005489617.tif 000014
【図８】
0005489617.tif 000015
【図９−１】
0005489617.tif 000016
【図９−２】
0005489617.tif 000017
【図９−３】
0005489617.tif 000018
【図９−４】
0005489617.tif 000019